(57)【要約】【課題】  柔らかい管とこれに端部が挿入されその端部が窄まっている硬い管状物との接続箇所を結束する場合の結束力を強くする。【解決手段】  結束バンド２０は、バンド部３０とバックル部３２とを備える。バックル部３２はバンド部３０の一端に設けられる。バンド部３０が、平たい胴部４０と、複数の凸部４２と、窄まり形成面４４とを有している。窄まり形成面４４は、胴部４０が輪を形成するように曲がっているとき胴部４０が形成する輪の一方の端８０から他の端８２へ近づくにつれて窄まる内周面を形成するよう延びる。バックル部３２が、貫通路形成部５０と、引掛部５２とを有する。貫通路形成部５０は、バンド貫通路６０を形成する。引掛部５２は、バンド貫通路６０に配置される。引掛部５２は、バンド部３０の他端が入口７０から進入すると複数の凸部４２のいずれかに引っ掛かる。【選択図】      図３
2019006430.tif 000002
【特許請求の範囲】
【請求項１】
バンド部と、
前記バンド部の一端に設けられるバックル部とを備え、
前記バンド部が、
直線状に延びることと輪を形成するように曲がることとが可能な平たい胴部と、
前記胴部の表面に配置され、前記胴部が延びる方向に沿う列を形成するように並ぶ複数の凸部とを有しており、
前記バックル部が、
入口と出口とを有して前記バンド部の他端が前記入口から前記出口へ貫通するバンド貫通路を形成する貫通路形成部と、
前記バンド貫通路に固定され前記バンド部の他端が前記入口から進入すると前記複数の凸部のいずれかに引っ掛かる引掛部とを有する結束バンドにおいて、
前記バンド部が、前記複数の凸部が並ぶ前記胴部の表面から見た前記胴部の背面に配置され、かつ、前記胴部が輪を形成するように曲がっているとき前記胴部が形成する前記輪の一方の端から他の端へ近づくにつれて窄まる内周面を形成するよう延びる窄まり形成面をさらに有していることを特徴とする結束バンド。
【請求項２】
前記バックル部が、前記引掛部に対向するように前記バンド貫通路から突出し、前記バンド部の他端が前記入口から進入して前記凸部のいずれかが前記引掛部に引っ掛かるとき前記窄まり形成面に対向する対向突出部をさらに有していることを特徴とする請求項１に記載の結束バンド。
【請求項３】
前記引掛部が、
前記バンド部の他端が前記入口から進入すると前記複数の凸部のいずれかと噛み合う噛合部と、
たわむことが可能で、かつ、前記噛合部を前記バンド貫通路に接続する蝶番機能部とを有しており、
前記対向突出部が、前記噛合部が前記凸部のいずれかと噛み合って引き起こされると、前記バンド部を、前記噛合部と共に挟むバンド挟み部を有していることを特徴とする請求項２に記載の結束バンド。
【請求項４】
前記バンド挟み部が、前記噛合部が前記凸部のいずれかと噛み合うとき前記バンド部の前記窄まり形成面に沿うよう拡がる対向面を有していることを特徴とする請求項３に記載の結束バンド。
【発明の詳細な説明】
【技術分野】
【０００１】
本発明は結束バンドに関する。
【背景技術】
【０００２】
特許文献１には結束バンドが開示されている。この結束バンドは、バンド部とバックル部とを備える。バックル部はバンド貫通路を有する。バンド貫通路は入口と出口とを有する。バンド貫通路をバンド部の一端が入口から出口へ貫通する。バックル部はバンド部の他端に設けられる。バックル部が、貫通路形成部と、突出壁部とを有している。貫通路形成部は、バンド貫通路を形成する。突出壁部は、バンド貫通路を貫通したバンド部の進む方向に沿ってバンド貫通路の出口の縁から突出する。特許文献１に開示された結束バンドは、バンド部のうちバックル部を貫通した部分が切り取られた後にバンド部の端がバックル部から突出することを抑制できる。
【０００３】
特許文献２には結束具が開示されている。この結束具は、バンド部と、バックル部とを備える。バンド部はセレーションを有する。バックル部は、バンド部の一端に設けられる。バックル部は、バンド貫通孔を有する。バンド貫通孔をバンド部の他端が貫通する。バンド貫通孔の内周に、バンド抜止爪が設けられている。バンド抜止爪は、バンド貫通孔をいったん貫通したバンド部がバンド貫通孔から抜けることをセレーションとかみ合うことにより防止する。結束具は、突起をさらに備える。突起は、バンド部が輪を形成しており、かつ、バンド貫通孔の内周のバンド抜止爪がセレーションとかみ合っているとき、バンド部が形成している輪の内周面から突出するよう設けられる。突起の高さが、バンド部の最小結束半径の２分の１を超え、かつ、最小結束半径未満である。特許文献２に開示された結束具は、線材その他の束ねることが可能な長い部材を束ねたときその長い部材の軸方向へずれる可能性を低くできる。
【先行技術文献】
【特許文献】
【０００４】
【特許文献１】特開２０１６−０９５００７号公報
【特許文献２】特開２０１２−１１６５５１号公報
【発明の概要】
【発明が解決しようとする課題】
【０００５】
特許文献１に開示された結束バンドと特許文献２に開示された結束具とには、柔らかい管とこれに端部が挿入されその端部が窄まっている硬い管状物との接続箇所を結束する場合に、他の物を結束する場合に比べて、結束力が弱いことがあるという問題点がある。
【０００６】
本発明は、上述したような問題点を解決するためのものである。本発明の目的は、柔らかい管とこれに端部が挿入されその端部が窄まっている硬い管状物との接続箇所を結束する場合の結束力を強くすることにある。
【課題を解決するための手段】
【０００７】
図面を参照し本発明を説明する。なおこの欄で図中の符号を使用したのは発明の内容の理解を助けるためであって内容を図示した範囲に限定する意図ではない。
【０００８】
上記目的を達成するために、本発明のある局面に従うと、結束バンド２０は、バンド部３０とバックル部３２とを備える。バックル部３２はバンド部３０の一端に設けられる。バンド部３０が、平たい胴部４０と、複数の凸部４２とを有している。胴部４０は、直線状に延びることと輪を形成するように曲がることとが可能である。凸部４２は、胴部４０の表面に配置される。凸部４２は、胴部４０が延びる方向に沿う列を形成するように並ぶ。バックル部３２が、貫通路形成部５０と、引掛部５２とを有する。貫通路形成部５０は、バンド貫通路６０を形成する。バンド貫通路６０は、入口７０と出口７２とを有する。バンド部３０の他端がバンド貫通路６０の入口７０から出口７２へ貫通する。引掛部５２は、バンド貫通路６０に固定される。引掛部５２は、バンド部３０の他端が入口７０から進入すると複数の凸部４２のいずれかに引っ掛かる。バンド部３０が、窄まり形成面４４をさらに有している。窄まり形成面４４は、複数の凸部４２が並ぶ胴部４０の表面から見た胴部４０の背面に配置される。窄まり形成面４４は、胴部４０が輪を形成するように曲がっているとき胴部４０が形成する輪の一方の端８０から他の端８２へ近づくにつれて窄まる内周面を形成するよう延びる。
【０００９】
バンド部３０の他端がバンド貫通路６０の入口７０から出口７２へ貫通するとき、バンド部３０の胴部４０は輪を形成するように曲がる。窄まり形成面４４は、胴部４０がその輪を形成するように曲がっているとき胴部４０が形成する輪の一方の端８０から他の端８２へ近づくにつれて窄まる内周面を形成するよう延びる。柔らかい管とこれに端部が挿入されその端部が窄まっている硬い管状物との接続箇所を結束バンド２０が結束する場合、胴部４０が輪を形成するように曲がることに伴って窄まり形成面４４が形成する内周面は、その輪の一方の端８０から他の端８２へ近づくにつれて窄まる。これにより、その内周面は、その輪の内周面が窄まっていない場合に比べ、上述された硬い管状物の窄まっている端部に沿いやすくなる。上述された硬い管状物の窄まっている端部に沿いやすいので、結束バンド２０は、その端部に沿っていない場合に比べ、上述された硬い管状物の中心軸に沿う方向へは滑り難くなる。結束バンド２０が上述された硬い管状物の中心軸に沿う方向へ滑り難くなると、バンド部３０の他端を引いたときにバンド部３０の胴部４０が形成する輪は、その分、柔らかい管とこれに端部が挿入されその端部が窄まっている硬い管状物との接続箇所を強く締め付けることができる。その結果、本発明にかかる結束バンド２０は、柔らかい管とこれに端部が挿入されその端部が窄まっている硬い管状物との接続箇所を結束する場合の結束力を強くできる。
【００１０】
また、上述したバックル部３２が、対向突出部５４をさらに有していることが望ましい。対向突出部５４は、引掛部５２に対向するようにバンド貫通路６０から突出する。対向突出部５４は、バンド部３０の他端が入口７０から進入して凸部４２のいずれかが引掛部５２に引っ掛かるとき窄まり形成面４４に対向する。
【００１１】
バンド部３０の他端が入口７０から進入して凸部４２のいずれかが引掛部５２に引っ掛かるとき対向突出部５４が窄まり形成面４４に対向すると、バンド貫通路６０から何も突出していない場合に比べ、窄まり形成面４４の動きは制限される。動きが制限されるので、バンド部３０がバンド貫通路６０の内部で動くことに起因して引掛部５２に引っ掛かっていた凸部４２が引掛部５２から外れる可能性は低くなる。その可能性が低くなるので、結束バンド２０は、凸部４２が引掛部５２から外れやすい場合に比べ、結束力を強くできる。
【００１２】
もしくは、上述した引掛部５２が、噛合部９０と、蝶番機能部９２とを有していることが望ましい。噛合部９０は、バンド部３０の他端が入口７０から進入すると複数の凸部４２のいずれかと噛み合う。蝶番機能部９２はたわむことが可能である。蝶番機能部９２は、噛合部９０をバンド貫通路６０に接続する。この場合、対向突出部５４が、バンド挟み部を有していることが望ましい。バンド挟み部は、噛合部９０が凸部４２のいずれかと噛み合って引き起こされると、バンド部３０を、その噛合部９０と共に挟む。
【００１３】
バンド挟み部が噛合部９０と共にバンド部３０を挟むと、バンド部３０が挟まれない場合に比べ、バンド部３０を強く拘束できる。バンド部３０が強く拘束されるので、結束バンド２０は、その結束力を強くできる。
【００１４】
もしくは、上述したバンド挟み部が、対向面１００を有していることが望ましい。対向面１００は、噛合部９０が凸部４２のいずれかと噛み合うときバンド部３０の窄まり形成面４４に沿うよう拡がる。
【００１５】
バンド挟み部が対向面１００を有していると、そうでない場合に比べ、窄まり形成面４４に対向する部分の面積が大きくなる。その面積が大きくなると、バンド部３０を挟み損ねる可能性が低くなる。 バンド部３０を挟み損ねる可能性が低くなると、バンド部３０を強く拘束し損なう可能性が低くなる。
【発明の効果】
【００１６】
本発明によれば、柔らかい管とこれに端部が挿入されその端部が窄まっている硬い管状物との接続箇所を結束する場合の結束力を強くできる。
【図面の簡単な説明】
【００１７】
【図１】本発明の一実施形態にかかる結束バンドの平面図である。
【図２】本発明の一実施形態にかかる結束バンドの側面図である。
【図３】本発明の一実施形態にかかる結束バンドのバンド部が輪を作った場合におけるその輪の断面図である。
【図４】本発明の一実施形態にかかるバックル部の拡大された平面図である。
【図５】図４のＡ−Ａ断面図である。
【発明を実施するための形態】
【００１８】
以下、図面を参照しつつ、本発明の実施形態について説明する。以下の説明では、同一の部品には同一の符号を付してある。それらの名称および機能も同一である。したがって、それらについての詳細な説明は繰返さない。
【００１９】
［全体構成］
図１は、本実施形態にかかる結束バンド２０の平面図である。図２は、本実施形態にかかる結束バンド２０の側面図である。図１と図２とに基づいて、本実施形態にかかる結束バンド２０の構成が説明される。本実施形態にかかる結束バンド２０は、次に述べられる接続箇所を結束するために用いられる。その接続箇所は、柔らかい管とこれに端部が挿入されその端部が窄まっている硬い管状物との接続箇所である。柔らかい管の例には、合成樹脂製の柔らかいホースがある。本実施形態において、硬い管状物とは、柔らかい管よりも硬く、かつ、少なくとも一部の形態が管状である物を意味する。硬い管状物の例には、管継手と、金属管とがある。合成樹脂製の柔らかいホースと管継手と周知である。したがってここではその詳細な構成は説明されない。本実施形態にかかる結束バンド２０は、合成樹脂製である。本実施形態の場合、結束バンド２０は、バンド部３０とバックル部３２とを備える。バンド部３０は上述された接続箇所を締め付けるためのものである。バックル部３２はバンド部３０による締め付けが緩むことを防止するためのものである。バックル部３２はバンド部３０の一端に設けられる。本実施形態において、結束バンド２０は一体である。
【００２０】
［バンド部の構成］
図３は、本実施形態にかかるバンド部３０が輪を作った場合におけるその輪の断面図である。図１乃至図３に基づいて、本実施形態にかかるバンド部３０の構成が説明される。本実施形態にかかるバンド部３０は、胴部４０と、複数の凸部４２と、窄まり形成面４４とを有する。胴部４０は平たい。胴部４０は、直線状に延びることと輪を形成するように曲がることとが可能である。胴部４０はバンド部３０が上述された接続箇所を締め付ける際にバンド部３０にかかる荷重を支える。凸部４２は、胴部４０の表面に配置される。図１に示されるように、凸部４２は、胴部４０が延びる方向に沿う列を形成するように並ぶ。本実施形態において、凸部４２は、胴部４０が直線状に延びるとき、次に述べられる仮想上の平面に沿うよう延びている。その仮想上の平面は、胴部４０が延びる方向に拡がる。凸部４２が形成する列は、その仮想上の平面に沿う。窄まり形成面４４は、複数の凸部４２が並ぶ胴部４０から見た胴部４０の背面に配置される。すなわち、凸部４２と窄まり形成面４４とは胴部４０の表裏に配置される。窄まり形成面４４は、胴部４０が直線状に延びるとき胴部４０が延びる方向に沿って延びる。本実施形態の場合、窄まり形成面４４は、凸部４２が沿う仮想上の平面に対して傾斜する。その結果、窄まり形成面４４は、図３に示されているように、胴部４０が輪を形成するように曲がっているとき、次に述べられる内周面を形成するよう延びる。その内周面は、胴部４０が形成する輪の一方の端８０から他の端８２へ近づくにつれて窄まるものである。
【００２１】
［バックル部の構成］
図４は、本実施形態にかかるバックル部３２の拡大された平面図である。図５は、図４のＡ−Ａ断面図である。図４と図５とに基づいて、本実施形態にかかるバックル部３２の構成が説明される。バックル部３２は、貫通路形成部５０と、引掛部５２と、対向突出部５４とを有する。貫通路形成部５０は、バンド貫通路６０を形成する。本実施形態の場合、バンド貫通路６０は直線状である。バンド貫通路６０は、入口７０と出口７２とを有する。バンド部３０の他端がバンド貫通路６０の入口７０から出口７２へ貫通する。引掛部５２は、バンド貫通路６０に固定される。引掛部５２は、バンド部３０の他端が入口７０から進入すると複数の凸部４２のいずれかに引っ掛かる。対向突出部５４は、引掛部５２に対向するようにバンド貫通路６０から突出する。対向突出部５４は、バンド部３０の他端が入口７０から進入して凸部４２のいずれかが引掛部５２に引っ掛かるとき窄まり形成面４４に対向する。
【００２２】
本実施形態の場合、引掛部５２は、噛合部９０と、蝶番機能部９２とを有している。噛合部９０は、バンド部３０の他端が入口７０から進入すると複数の凸部４２のいずれかと噛み合う。蝶番機能部９２はたわむことが可能である。蝶番機能部９２は、噛合部９０をバンド貫通路６０に接続する。この接続により、引掛部５２がバンド貫通路６０に固定されることとなる。
【００２３】
本実施形態の場合、対向突出部５４は、バンド挟み部のみからなる。バンド挟み部は、噛合部９０が凸部４２のいずれかと噛み合って引き起こされると、その噛合部９０と共に、バンド部３０を挟む。対向突出部５４がバンド挟み部としてバンド部３０を挟み得るのは、噛合部９０が引き起こされるとき、バンド部３０の窄まり形成面４４が対向突出部５４へ自ずと押し当てられるよう突出しているためである。噛合部９０が引き起こされる現象は、バンド部３０がバンド貫通路６０の入口７０方向へ引き戻されることに伴って発生する。その引き戻しに伴い、凸部４２にかみ合っている噛合部９０が引き起こされる。本実施形態の場合、バンド挟み部は、対向面１００と、バンド土台部１０２とを有する。図４に示されているように、対向面１００は、バンド貫通路６０の内周面に対して傾いている。その結果、対向面１００は、噛合部９０が凸部４２のいずれかと噛み合うときバンド部３０の窄まり形成面４４に沿うよう拡がる。バンド土台部１０２は、対向面１００がバンド部３０から力を受けたとき対向面１００を支える。
【００２４】
［結束バンドの製造方法］
本実施形態にかかる結束バンド２０の製造方法は周知の結束バンドと同様である。例えば、本実施形態にかかる結束バンド２０は、射出成形により製造される。射出成形といった周知の結束バンドの製造方法は周知である。したがって、ここではその詳細な説明は繰り返されない。
【００２５】
［結束バンドの使用方法］
本実施形態にかかる結束バンド２０は、主として、柔らかい管とこれに端部が挿入されその端部が窄まっている硬い管状物との接続箇所を結束するために使用される。このために本実施形態にかかる結束バンド２０が使用される場合、使用者は、まずその固い管の端部が柔らかい管の端部に挿入されるよう、その固い管の端部へ柔らかい管を接続する。接続が完了すると、使用者は、それらの管の接続箇所の外周に本実施形態にかかる結束バンド２０のバンド部３０を回す。その際、使用者は、窄まり形成面４４が形成する内周面が硬い管状物の端部の表面に沿うよう、バンド部３０の向きを整える。バンド部３０が回されると、使用者は、バンド部３０の一端に接続されたバックル部３２のバンド貫通路６０へバンド部３０の他端を進入させる。バンド貫通路６０へバンド部３０の他端が進入すると、使用者は、そのバンド部３０の他端を引く。他端が引かれるので、バンド部３０は、上述された接続箇所を縛り付ける。これに伴い、バックル部３２の噛合部９０は、バンド部３０の凸部４２のいずれかと噛み合う。噛合部９０が凸部４２のいずれかと噛み合うと、結束バンド２０による結束は終了する。
【００２６】
［本実施形態にかかる結束バンドの効果］
以上のようにして、本実施形態にかかる結束バンド２０は、柔らかい管とこれに端部が挿入されその端部が窄まっている硬い管状物との接続箇所を結束する場合の結束力を強くできる。
【００２７】
［変形例の説明］
今回開示された実施形態はすべての点で例示である。本発明の範囲は上述した実施形態に基づいて制限されるものではない。もちろん、本発明の趣旨を逸脱しない範囲で種々の設計変更をしてもよい。
【００２８】
たとえば、対向突出部５４の形態は特に限定されない。したがって、対向突出部５４の形態は、尖ったものであっても、稜線を形成するものであっても、曲面を形成するものであってもよい。もちろん、対向突出部５４の対向面１００が、噛合部９０が凸部４２のいずれかと噛み合うときのバンド部３０の窄まり形成面４４に沿うものでなくてもよい。対向突出部５４は、噛合部９０が凸部４２のいずれかと噛み合うとき、その噛合部９０と共に、その凸部４２を挟むものでなくてもよい。対向突出部５４は、単にバンド部３０の窄まり形成面４４とバンド貫通路６０の内周面との隙間を狭くするに過ぎないものであってもよい。もちろん、対向突出部５４は、バンド挟み部のみからなるものに限定されない。
【００２９】
また、窄まり形成面４４の形態は、上述したものに限定されない。例えば、窄まり形成面４４は、胴部４０が形成する輪の一方の端８０に近い区間では急に窄まり、他の端８２に近い区間では緩やかに窄まるものであってもよい。この逆に、窄まり形成面４４は、胴部４０が形成する輪の一方の端８０に近い区間では緩やかに窄まり、他の端８２に近い区間では急に窄まるものであってもよい。窄まり形成面４４は凹凸が人の肉眼では認識できないような滑らかな面を有していてもそうでなくてもよい。例えば窄まり形成面４４の表面には小さな突起が一面に設けられていてもよい。
【００３０】
また、バンド貫通路６０は直線状でなくともよい。また、結束バンド２０の素材は合成樹脂に限定されない。
【符号の説明】
【００３１】
２０…結束バンド
３０…バンド部
３２…バックル部
４０…胴部
４２…凸部
４４…窄まり形成面
５０…貫通路形成部
５２…引掛部
５４…対向突出部
６０…バンド貫通路
７０…入口
７２…出口
８０，８２…端
９０…噛合部
９２…蝶番機能部
１００…対向面
１０２…バンド土台部
【図１】
2019006430.tif 000003
【図２】
2019006430.tif 000004
【図３】
2019006430.tif 000005
【図４】
2019006430.tif 000006
【図５】
2019006430.tif 000007